(57)【要約】【課題】外面側において固定具の頭部を収容することができ、固定具の頭部を収容した部分において破損しにくく、しかも、固定具の固定位置を安定させることができる、表紙を提供する。【解決手段】この発明の表紙は、固定具２１０の軸部２１２を挿通するための貫通孔２８に挿通された固定具の頭部２１４を収容するための収容部３０が、前記貫通孔２８の周辺に形成され、前記収容部３０は、前記固定具の頭部２１４の軸部側の面に接する底部３２、前記固定具頭部２１４の側部側に接する側面部３４、および前記貫通孔に至るに従って外面側より徐々に下がる傾斜状に形成された斜面部３６とを備え、前記斜面部３６は、前記固定具の頭部に接触しない。【選択図】図３
2010036484.tif 000002
【特許請求の範囲】
【請求項１】
固定具の軸部を挿通するための貫通孔が厚み方向に形成された表紙において、
前記貫通孔に挿通された固定具の軸部より周辺に張り出した頭部を収容するための収容部が、外面側において前記貫通孔の周辺に形成され、
前記収容部は、
前記貫通孔に挿通された固定具の軸部より周辺に張り出した頭部の軸部側の面に接する底部、
前記貫通孔に挿通された固定具の軸部より周辺に張り出した頭部の側部側に接する側面部、および
前記貫通孔に至るに従って外面側より徐々に下がる傾斜状に形成された斜面部とを備え、
前記斜面部は、前記貫通孔に挿通された軸部を有する固定具の頭部に接触しないことを特徴とする、表紙。
【請求項２】
傾斜面となる斜面部は、貫通孔の周囲に、適宜な間隔をおいて、貫通孔より放射状にのびるように形成された、請求項１に記載の表紙。
【請求項３】
斜面部は、表紙の表面側より押圧して形成された垂下底部の間に間欠的に形成された、請求項１又は請求項２に記載の表紙。
【請求項４】
収容部は、表紙の表面側より押圧して形成された、請求項１ないし請求項３のいずれかに記載の表紙。
【請求項５】
請求項１ないし請求項４に記載された表紙における少なくとも収容部を形成するための金型であって、
前記収容部の前記底部、前記側面部および前記斜面部の外面側の表面に対応する型を有する、金型。
【請求項６】
前記収容部の前記底部、前記側面部および前記斜面部の表面に対応する前記型の中央に設けられ、前記表紙に形成される貫通孔を形成するためのコア部を有する、請求項５に記載の金型。
【請求項７】
前記収容部の前記底部、前記側面部および前記斜面部の表面に対応する前記型の周辺の面は、外方に向かうに従って広がるテーパー状に湾曲している、請求項５または請求項６に記載の金型。
【発明の詳細な説明】
【技術分野】
【０００１】
この発明は、表紙および金型に関し、特に、内面に綴じ具を固定するための、たとえば鋲などの固定具の軸部を挿通するための貫通孔が厚み方向に形成され、その固定具の頭部を収容するための収容部が外面側において貫通孔の周辺に形成された、合成樹脂製のたとえばファイル表紙などの表紙と、そのような表紙の少なくとも固定具の頭部を収容するための収容部を形成するための金型とに関する。
【背景技術】
【０００２】
この発明の背景となる従来のファイルには、合成樹脂製のファイル表紙を含み、ファイル表紙の背表紙の内面に綴じ具が鋲などの固定具で固定されたものがあった。この従来のファイルは、ファイル表紙の背表紙には厚み方向に貫通孔が形成され、鋲などの固定具の軸部がファイル表紙の背表紙の外面側から貫通孔と綴じ具に形成されている固定用孔とに挿通され、その固定具の軸部の先端がかしめられている。（例えば特許文献１参照）
【０００３】
【特許文献１】特開２００４−１３６５７０号公報
【発明の開示】
【発明が解決しようとする課題】
【０００４】
ところが、上述の従来のファイルでは、鋲などの固定具の頭部がファイル表紙の背表紙の外面から外側に突出しているので、固定具の頭部上および背表紙の外面上に背紙を貼付した場合、背紙が平坦状に貼付されない。そのため、このように貼付された背紙の表面には、文字等を記入しにくい。
そこで、背紙を平坦状に貼付することができるようにするために、たとえば図１７（Ａ）および図１７図（Ｂ）に示すように、ファイル表紙１の背表紙２の外面を貫通孔３の周辺において急激に強く押圧することによって、背表紙２の外面側において貫通孔３の周辺に鋲などの固定具の頭部に対応する円柱状にへこんだ収容部４を形成することが考えられる。
このようにファイル表紙１の背表紙２に収容部４を形成すれば、その収容部４に鋲などの固定具の頭部を収容できるので、固定具の頭部上および背表紙２の外面上に背紙を平坦に貼付することができ、貼付された背紙の表面に文字等を記入しやすい。
ところが、このようにファイル表紙１の背表紙２に収容部４を形成する場合、背表紙２の外面が急激に強く押圧されるので、収容部４の底部５の全周囲が急激に塑性変形されて、収容部４の底部５の全周囲の強度が弱くなってしまう。そのため、ファイル１の背表紙２は、収容部４の底部５の全周囲で切断されてしまいやすくなり、収容部４の底部５が鋲などの固定具や綴じ具とともに、ファイル表紙１から外れてしまいやすくなる。
そこで、収容部４の底部５の全周囲が切断されにくくするために、例えば図１８（Ａ）および図１８（Ｂ）に示すように、収容部４において底部５の全周辺に、背表紙２の外面を徐々に強く押圧することによって、傾斜状の斜面部６を形成することが考えられる。
このように収容部４において底部５の全周辺に斜面部６を形成すれば、収容部４の底部５の全周囲は急激に塑性変形されず、底部５の全周囲の強度はほとんど弱くならない。そのため、収容部４の底部５の全周囲が切断されにくくなり、収容部４の底部５が、鋲などの固定具などとともにファイル表紙１から外れにくくなる。
底部５の全周辺を斜面部６にした場合プレス加工後、凹凸が戻ってしまい金型の凹凸の段差どおりの形状が得られない。
必要な段差（凹の深さ）を得ようとすると、金型の凹凸の段差を大きくする必要があるが、そのようにすると周辺の歪みが発生してフラット性を保てなくなる。
しかしながら、このように収容部４において底部５の全周辺に斜面部６を形成すると、その斜面部６に沿って鋲などの固定部の頭部が乗り上がってしまう場合があり、この場合、鋲などの固定部の固定位置が背表紙２に対して安定せず、そのため、背表紙２に対して綴じ具の固定位置も安定しない。固定具の軸部が貫通孔３に挿通された後にかしめられる鋲などを用いる場合には、固定具の軸部の径が貫通孔３の径より特に細く形成されるので、この問題は特に顕著となる。
【０００５】
それゆえに、この発明の主たる目的は、外面側において鋲などの固定具の頭部を収容することができ、鋲などの固定具の頭部を収容した部分で破損されにくく、しかも、鋲などの固定具の固定位置を安定させることができる、表紙を提供することである。
この発明の他の目的は、そのような表紙において固定具の頭部を収容するための収容部を形成することができる、金型を提供することである。
【課題を解決するための手段】
【０００６】
この発明にかかる表紙は、固定具の軸部を挿通するための貫通孔が厚み方向に形成された表紙において、前記貫通孔に挿通された固定具の軸部より周辺に張り出した頭部を収容するための収容部が、外面側において前記貫通孔の周辺に形成され、前記収容部は、前記貫通孔に挿通された固定具の軸部より周辺に張り出した頭部の軸部側の面に接する底部、前記貫通孔に挿通された固定具の軸部より周辺に張り出した頭部の側部側に接する側面部、および前記貫通孔に至るに従って外面側より徐々に下がる傾斜状に形成された斜面部とを備え、前記斜面部は、前記貫通孔に挿通された軸部を有する固定具の頭部に接触しないことを特徴とする、表紙である。
この発明の請求項２にかかる表紙は、傾斜面となる斜面部は、貫通孔の周囲に、適宜な間隔をおいて、貫通孔より放射状にのびるように形成された、請求項１に記載の表紙である。
この発明の請求項３にかかる表紙は、斜面部は、表紙の表面側より押圧して形成された垂下底部の間に間欠的に形成された、請求項１又は請求項２に記載の表紙である。
この発明の請求項４にかかる表紙は、収容部は、表紙の表面側より押圧して形成された、請求項１ないし請求項３のいずれかに記載の表紙である。
この発明の請求項５にかかる金型は、請求項１ないし請求項４に記載された表紙における少なくとも収容部を形成するための金型であって、前記収容部の前記底部、前記側面部および前記斜面部の外面側の表面に対応する型を有する、金型である。
この発明の請求項６にかかる金型は、前記収容部の前記底部、前記側面部および前記斜面部の表面に対応する前記型の中央に設けられ、前記表紙に形成される貫通孔を形成するためのコア部を有する、請求項５に記載の金型である。
この発明の請求項７にかかる金型は、前記収容部の前記底部、前記側面部および前記斜面部の表面に対応する前記型の周辺の面は、外方に向かうに従って広がるテーパー状に湾曲している、請求項５または請求項６に記載の金型である。
【０００７】
この発明にかかる表紙は、その厚み方向に形成された貫通孔に、鋲などの固定具の軸部が挿通され、外面側に形成された収容部に、固定具の頭部が収容される。そのため、この発明にかかる表紙は、外面側において鋲などの固定具の頭部を収容することができ、固定具の頭部上および表紙の外面上に背紙を平坦状に貼付することができ、貼付された背紙の表面に文字等を記入しやすい。
また、この発明にかかる表紙は、外面側に形成された収容部おいて底部から外面側にわたって傾斜する斜面部が形成されているので、収容部において底面の周辺の斜面部の強度がほとんど弱くならない。そのため、この発明にかかる表紙は、鋲などの固定具の頭部を収容した部分において破損されにくい。
さらに、この発明にかかる表紙は、収納部の底部および側面部に、収納部に収納されている鋲などの固定具の頭部の底面および側面がそれぞれ接するので、固定具の頭部が斜面部に沿って乗り上がることなく、固定具などの固定位置を安定させることができる。
この発明にかかる金型は、そのような表紙の収容部の底部、側面部および斜面部の表面に対応する型を有するので、この金型を用いて表紙を製造することにより固定具の頭部を収容するための収容部を表紙に形成することができる。
この発明にかかる金型は、固定具の軸部を挿通するための貫通孔を形成するためのコア部を有する場合には、この金型を用いて表紙を製造することにより表紙に固定具の軸部を挿通するための貫通孔も形成することができる。
また、この発明にかかる金型は、収容部の底部、側面部および斜面部の表面に対応する型の周辺は、外方に向かうに従って広がるテーパー状に湾曲していると、表紙において収納部が形成される部分が金型で強く押圧されて加工されても、押圧力を取り除くと収容部が形成された表紙全体がほとんど湾曲せず、表紙の弾力性により平面状となる。
【発明の効果】
【０００８】
この発明によれば、外面側において鋲などの固定具の頭部を収容することができ、鋲などの固定具の頭部を収容した部分において破損されにくく、しかも、鋲などの固定具の固定位置を安定させることができる、表紙が得られる。
さらに、この発明によれば、この金型を用いて表紙を製造することにより固定具の頭部を収容するための収容部を形成することができる、金型が得られる。
【発明を実施するための最良の形態】
【０００９】
この発明の上述の目的、その他の目的、特徴および利点は、図面を参照して行う以下の発明を実施するための最良の形態の説明から一層明らかとなろう。
一般的には、ファイルとはおおむね記録済みの文書（伝票・カタログ・書類など）をとじ、又は、はさみ入れて整理・保管することのできる表紙をいい、バインダーとはおおむね未記録のとじ穴のある用紙（ルーズリーフ、帳票など）をそう入し、記録できる、とじ具付き表紙をいうが、この発明の特許請求の範囲及び明細書においては、綴具の付いたファイルとバインダーとを総称して、ファイル・バインダ類という。
【００１０】
この発明にかかる実施の形態である２穴真円型リング綴じ具を固定されたファイル・バインダ類について説明する。
図１は、この発明にかかるファイル・バインダ類の一例を示す斜視図である。図２は、図１図示ファイル・バインダ類の表紙を閉じた状態における平断面図解図である。図３は、図１図示ファイル・バインダ類の分解した状態の斜視図解図である。図４は、図１図示ファイル・バインダ類の表紙の収容部及びその周辺を示す図解図であり、（Ａ）は、平面図解図であり、（Ｂ）は、図４（Ａ）Ａ−Ａ断面図解図であり、（Ｃ）は、図４（Ａ）Ｂ−Ｂ断面図解図である。
【００１１】
この発明の一実施の形態であるファイル・バインダ類の表紙１０は、表表紙１２と、裏表紙１４と、前記表表紙１２と裏表紙１４との間に形成された背表紙１６とを有し、前記表紙１０の背表紙１６に固定された綴じ具１１０を備える。
図１ないし６に示す綴じ具１１０は、ポリプロピレンその他の比較的硬質で塑性変形をするシート材からなる表紙１０の略中央に形成される左右一対の薄肉ヒンジ部１８，２０の内側の背表紙１６の内面側２２表面に固定される。
固定する方法としては、綴じ具１１０の長手方向の両端に形成された固定孔１２０（後に詳述する）に、背表紙１６の外面側２４表面より、鋲等の固定具２１０を挿通させて、背表紙１６と一体となるように固定する方法がある。なお、ここでは、固定具として、鋲を用いて説明するが、これに限ることなく、例えば、ビス、はとめ、リベット等を用いてもよい。
この固定具２１０は、綴じ具１１０の固定孔１２０に挿入される軸部２１２と、前記軸部２１２の一端に形成された引っ掛かり用の頭部２１４とを備える。
【００１２】
表紙１０は、図２に示すように、表表紙１２と裏表紙１４とが背表紙１６に対して立設状態となるように連設されている。
そして、表表紙１２及び裏表紙１４は、背表紙１６寄りに開閉用の薄肉ヒンジ部１８，２０が設けられている。
表表紙１２及び裏表紙１４と背表紙１６との連設部２６の構成としては、プラスチック製表紙体に略Ｖ字溝からなる連設部２６を形成して、その溝底で折り曲げる構成を採用している。すなわち、図２に示す通り、表表紙１２及び裏表紙１４と背表紙１６との間に連設部２６を形成し、表表紙１２及び裏表紙１４と連設部２６との間に略Ｖ字溝を設け、連設部２６をその溝底で折り曲げて背表紙１６に対し表表紙１２及び裏表紙１４が立設状態に連設されるようにしたものである。連設部２６を利用した場合、この連設部２６の開き角度を変えることによって背表紙１６の構造を変更することができる。
【００１３】
表表紙１２及び裏表紙１４の開閉を可能にする薄肉ヒンジ部１８，２０は、断面略Ｖ字溝であり、連設部２６から若干小口寄りの位置において表表紙１２及び裏表紙１４に設けられる。
【００１４】
表紙１０は、固定具２１０の軸部２１２を挿通するための貫通孔２８が厚み方向に形成されている。
表紙１０は、前記貫通孔２８に挿通された固定具２１０の軸部２１２より周辺に張り出した頭部２１４を収容するための収容部３０が、外面側において前記貫通孔２８の周辺に形成されている。
前記収容部３０は、前記貫通孔２８に挿通された固定具２１０の軸部２１２より周辺に張り出した頭部２１４の軸部側の面に接する底部３２と、前記貫通孔２８に挿通された固定具２１０の軸部２１２より周辺に張り出した頭部２１４の側部側に接する側面部３４と、および前記貫通孔２８に至るに従って外面側２４より徐々に下がる傾斜状に形成された斜面部３６とを備え、前記斜面部３６は、前記貫通孔２８に挿通された軸部２１２を有する固定具２１０の頭部２１４に接触しない。
【００１５】
収容部３０は、平面視略円形の凹みであり、表紙１０の外面側２４より押圧して形成されている。
側面部３４は、表紙１０の外面側２４より、垂直に内面側２２に向けて平面視略円形に凹み形成されている。側面部３４は、その深さが、固定具２１０の頭部２１４の厚さと略々同等に形成されている。従って、綴じ具１１０を表紙１０に取り付けたのちに、背紙（背レッテル）４００を表紙１０の外面側２４に貼付しても、背表紙１６の外面側２４は、フラットとなる。
【００１６】
傾斜面となる斜面部３６は、貫通孔２８の周囲に、適宜な間隔をおいて形成され、略々同じ幅をもって貫通孔２８より放射状にのびるように形成されている。
【００１７】
斜面部３６は、表紙１０の外面側２４より押圧して形成された垂下側面部３４の間に間欠的に形成されている。
斜面部３６は、後述するように、金型によりプレス加工されるときに、塑性変形しないか、側面部３４と比してわずかに塑性変形しているに過ぎない。それゆえに、ファイル・バインダ類に用箋等の被綴じ物Ｓを綴じた状態においてファイル・バインダ類を落下させて強い力がかかっても、斜面部３６により貫通孔２８の周辺が抜け落ちることなく、表紙１０の破損を防ぐことができる。
【００１８】
綴じ具１１０は、環状の綴杆を構成する一対のそれぞれ略円環状の金属製の第１の綴杆１１２および第１の綴杆１１２と一対の第２の綴杆１１４と、前記第１の綴杆１１２および第２の綴杆１１４をそれぞれ間隔をおいて設けることができる長さを備えた保持部材１１６と、その表面に第１の綴杆１１２および第２の綴杆１１４が間隔をおいて第１の綴杆１１２および第２の綴杆１１４のそれぞれの基部が固定され、第１の綴杆１１２および第２の綴杆１１４が前記保持部材１１６に固定されるように保持部材１１６の内側に可動自在に固定された作動部材１１８と、作動部材１１８を付勢する開閉部材１４０とを備え、第１の綴杆１１２及び第２の綴杆１１４を開くときに、保持部材１１６内で第１の綴杆１１２及び第２の綴杆１１４を保持部材１１６の長手方向に移動させるように構成されている。
【００１９】
この綴じ具１１０の綴杆は、主綴杆たる第１の綴杆１１２と副綴杆たる第２の綴杆１１４とからなる開閉自在の２穴タイプである。
第１の綴杆１１２と第２の綴杆１１４とは、同一方向に向けて、その綴杆係止部１５０を指で外すことができるように構成されている。
そして、綴杆を閉じるときは、主綴杆たる第１の綴杆１１２を、例えば親指と人差し指で直接挟んで閉じるように構成されており、第１の綴杆１１２を２本の指で挟んで閉じる方向に作動させると、副綴杆たる第２の綴杆１１４は追動するように構成されている。
【００２０】
図１２は、この発明の一実施の形態であるファイル表紙に固定する固定具たる鋲の図解図であり、（Ａ）は鋲の斜視図解図であり、（Ｂ）は、背面斜視図解図である。
【００２１】
この固定具２１０たる鋲は、綴じ具１１０の固定孔１２０に挿入される軸部２１２と、前記軸部２１２の一端に形成された引っ掛かり用の頭部２１４とを備える。前記頭部２１４の少なくとも表面または裏面のいずれかに、該頭部２１４を折って軸部２１２より切り離すために、前記軸部２１２の軸方向に見て軸部２１２の外側であって、該頭部２１４を折ったとき前記軸部２１２を挿入する固定孔１２０から該頭部２１４が抜け出る位置において、溝２１６が形成されている。
【００２２】
この固定具２１０たる鋲は、表紙１０と綴じ具１１０を固定するものであり、軸部２１２は、被固定物たる綴じ具１１０の固定孔１２０に挿入され、引っ掛かり用の頭部２１４は、前記軸部２１２の一端に周辺に向けて張り出して形成され、頭部２１４は、表紙１０の固定孔１２０たる貫通孔２８の周縁に引っ掛かるために形成されている。そして、該軸部２１２と引っ掛かり用の頭部２１４とは、アルミニウム等の金属又は熱可塑性樹脂等をもって一体成形されてなる。
【００２３】
軸部２１２は、引っ掛かり用の頭部２１４の略中央より突設された円柱状で、その外周面は上から下まで同一径の、中空円筒状である。もっとも、軸部２１２の外周面は、引っ掛かり用の頭部２１４より先端（下端）に向かうに従ってその径が短くなるテーパー状の中空円筒状としてもよい。
【００２４】
引っ掛かり用の頭部２１４は、前記軸部２１２と同心円で軸部２１２より大径の円盤状で、周縁部において若干その厚みが漸減するように構成されている。引っ掛かり用の頭部２１４の平面部２２０には、前記軸部２１２の外周縁に沿って、平面円形状の割り溝を連続して凹設してもよい。引っ掛かり用の頭部２１４は、軸部２１２の略２倍の直径を有し、その厚さは、その直径の略５分の１である。
【００２５】
引っ掛かり用の頭部２１４の外周縁の厚さは、より薄い方が良い。例えば、収容部３０を裏表紙１４に形成して、固定具２１０を裏表紙１４に固定する場合、表紙１０の外側に引っ掛かり用の頭部２１４が出ないようにするために、すなわち、ファイル・バインダ類を収容する棚から出し入れするとき、引っ掛かり用の頭部２１４が隣接するものに引っ掛からないようにするためには、より薄くする方が良い。
【００２６】
この固定具２１０たる鋲によって、被固定物であるファイルの表紙１０と綴じ具１１０とを固定する場合、表紙１０に穿設された固定孔たる貫通孔２８と綴じ具１１０に穿設された固定孔１２０を合わせ、該固定孔たる貫通孔２８及び固定孔１２０に軸部２１２を貫挿し、反対側の軸部２１２の先端を金型で常温（冷間）加工して軸部２１２の先端部を潰しカールさせ、綴じ具１１０の固定孔１２０周辺に密着させて、引っ掛かり用の頭部２１４と協働して表紙１０に綴じ具１１０を固定する。なお、反対側の軸部２１２の先端を加熱溶融して軸部２１２の先端部を潰しカールさせてもよい。
【００２７】
次に、前記表紙の収容部を成形するための金型について、主として図５ないし８に基づいて説明する。
金型３１０は、上型３１２と下型３１４とからなるプレス金型である。
上型３１２は、半球面凹状の上押圧部３２０の中心に形成された凸型部３２２を備え、下型３１４は、半球面凸状下押圧部３３０の中心に形成された凹型部３３２を備える。
【００２８】
下型３１４の凹型部３３２は、前記収容部３０の前記底部３２を成形するための底部成形凹部３３４と、前記側面部３４を成形するための側面部成形凹部３３６と、前記斜面部３６を成形するための斜面部成形凹部３３８とを備える。
【００２９】
前記側面部成形凹部３３６は、下押圧部３３０から垂直状ではなく、若干、下押圧部３３０から下方に向かうに従って狭くなるテーパー状に成形されている。
前記斜面部成形凹部３３８は、前記側面部３４に対応する断面半円形の凹条が下押圧部３３０から下方に連続して形成されている。
前記底部成形凹部３３４は、前記側面部成形凹部３３６及び斜面部成形凹部３３８の下部に連続した、平面状に形成されている。
【００３０】
そして、下型３１４の凹型部３３２の中心には、前記貫通孔２８の形状に対応した貫通孔２８を成形するための貫通孔成形孔部３４０が凹設されている。
【００３１】
前記上型３１２の凸型部３２２は、前記下型３１４の底部成形凹部３３４及び側面部成形凹部３３６に対応する底部成形凸部３２４及び側面部成形凸部３２６を備え、底部成形凸部３２４及び側面部成形凸部３２６は、略々円柱状であり、前記下型３１４の底部成形凹部３３４及び側面部成形凹部３３６に密に嵌挿するように形成されている。
【００３２】
そして、上型３１２の凸型部３２２の中心には、前記下型３１４の凹型部３３２の中心に穿設された貫通孔成形孔部３４０に向けて進出して、表紙１０を穿孔するための穴あけパンチたるコア部３２８が進退自在に固定されている。
この実施の形態においては、コア部３２８は、略円形状であり、上型３１２の凸型部３２２の中心に形成されたポンチ固定用孔に嵌挿され、表紙１０を穿孔するときには、表紙１０を穿孔した後に側面部成形凹部３３６に密に嵌挿されるように構成されている。
【００３３】
次に、前記金型３１０により、表紙１０の収容部３０を成形する方法について、主として図９ないし１１に基づいて説明する。
下型３１４の上部に、表紙１０の背表紙１６を載置し、上型３１２に圧力をかけて、上型３１２の凸型部３２２を下型３１４の凹型部３３２に圧入させて、前記背表紙１６の貫通孔２８の周辺を変形させる（図１０参照）。引き続き、上型３１２において引っ込んだ状態にあるコア部３２８に圧力をかけてコア部３２８を背表紙１６に向けて下降させ、上型３１２のコア部３２８を下型３１４の貫通孔成形孔部３４２に圧入させて、背表紙１６を打ち抜き、背表紙１６の貫通孔２８を成形する（図１１参照）。
上型３１２の凸型部３２２が、下型３１４の凹型部３３２に圧入されたとき、下型３１４の底部成形凹部３３４及び側面部成形凹部３３６の領域は、背表紙１６の貫通孔２８の周辺は、しぼり若しくは押さえつけられて塑性変形する。
しかしながら、上型３１２の凸型部３２２が下型３１４の凹型部３３２に圧入されたとき、下型３１４の斜面部成形凹部３３８の領域は、塑性変形せず若しくはわずかにわん曲するのみである。
【００３４】
又、下型３１４の凹型部３３２の周辺の下押圧部３３０は、略半球面の凸状面、すなわち凹型部３３２に近づくに従ってその径が短くなるテーパー状面になっているので、プレス加工により、上型３１２の凸型部３２２を下型３１４の凹型部３３２に圧入したとき、背表紙１６の貫通孔２８の周辺が貫通孔２８に向かって引き寄せられ、上型３１２の上押圧部３２０及び下型３１４の下押圧部３３０に沿ってわん曲する（図１１Ａ参照）。ところが、上型３１２を下型３１４から離し、プレス圧力を取り除くと、背表紙１６の弾性により略々平面状に復元する（図１１Ｂ参照）。
このように、上型３１２の上押圧部３２０及び下型３１４の下押圧部３３０を、背表紙１６の貫通孔２８を成形するコア部３２８及び貫通孔成形孔部３４２の周辺において、前記したような略半球面に形成されずに平面状に形成されていると、貫通孔２８の周辺がプレス圧力により、引き寄せられた状態のまま、プレス圧力を取り除いても、平面状に復元しない。
【００３５】
次に、表紙に固定具たる鋲によって綴じ具を取り付ける方法及び構造について、主として図１３ないし１６に基づいて説明する。
【００３６】
固定具２１０の軸部２１２を挿通するための貫通孔２８が厚み方向に形成され、前記貫通孔２８に挿通された固定具２１０の軸部２１２より周辺に張り出した頭部２１４を収容するための収容部３０に、外面側２４において固定具２１０の頭部２１４を嵌挿して、表紙１０に、綴じ具１１０を固定具２１０たる鋲により固定するが、表紙１０の前記貫通孔２８に挿通され且つ綴じ具１１０の固定孔１２０に挿通された固定具２１０の軸部２１２は、その先端部を潰しカールさせる。
【００３７】
固定具２１０たる鋲は、貫通孔２８に外面側２４より鋲の軸部２１２を挿通して、前記貫通孔２８に挿通された固定具２１０の軸部２１２より周辺に張り出した頭部２１４を収容するための収容部３０に頭部２１４を収容して固定するが、固定具２１０は、表紙１０の前記収容部３０における、前記貫通孔２８に挿通された固定具２１０の軸部２１２より周辺に張り出した頭部２１４の軸部側の面に接する底部３０、前記貫通孔２８に挿通された固定具２１０の軸部２１２より周辺に張り出した頭部２１４の側部側に接する側面部３４に沿って固定される。
このとき、固定具２１０の頭部２１４の側部側は、表紙１０の収容部３０の斜面部３６とは接触しない。
【００３８】
そして、表紙１０の背表紙１６の外面側２４に、背紙４００が貼付される。背紙４００は、シートの裏面に感圧型接着剤を塗布されたタック紙からなる。固定具２１０の頭部２１４は、表紙１０の収容部３０に埋設しているので、背紙４００は、フラットになる。
【００３９】
そして、表紙１０の収容部３０は、斜面部３６が、貫通孔２８の周囲に適宜な間隔をおいて貫通孔２８より放射状にのびるように形成されて、垂下底部３２の間に間欠的に形成されているので、表紙１０の貫通孔２８の周辺の塑性変形によりその強度を低下させることなく、一定の強度を保ち、収容部３０が抜け落ちることがない。
【産業上の利用可能性】
【００４０】
この発明にかかる表紙および金型は、ファイル・バインダ類の表紙に限らず、種々の表紙に利用することができる。
【図面の簡単な説明】
【００４１】
【図１】この発明にかかるファイル・バインダ類の一例を示す斜視図である。
【図２】図１図示ファイル・バインダ類の表紙を閉じた状態における平断面図解図である。
【図３】図１図示ファイル・バインダ類の分解した状態の斜視図解図である。
【図４】図１図示ファイル・バインダ類の表紙の収容部及びその周辺を示す図解図であり、（Ａ）は、平面図解図であり、（Ｂ）は、図４（Ａ）Ａ−Ａ断面図解図であり、（Ｃ）は、図４（Ａ）Ｂ−Ｂ断面図解図である。
【図５】この発明にかかる金型の下型の斜視図解図である。
【図６】（Ａ）は、図５図示下型の平面図解図であり、（Ｂ）は、（Ａ）のＣ−Ｃ断面図であり、（Ｃ）は、（Ａ）のＤ−Ｄ断面図である。
【図７】この発明にかかる金型の上型の斜視図解図である。
【図８】（Ａ）は、図７図示下型の底面図解図であり、（Ｂ）は、（Ａ）のＥ−Ｅ断面図である。
【図９】金型による表紙の加工方法を示す断面図解図である。
【図１０】金型による表紙の加工方法を示す断面図解図であり、（Ａ）はプレスをする直前の状態を示し、（Ｂ）はプレスした直後の状態を示す。
【図１１】金型による表紙の加工方法を示す断面図解図であり、（Ａ）は穿孔した後の状態を示し、（Ｂ）は表紙の塑性変形の状態を示す。
【図１２】この発明の一実施の形態であるファイル表紙に固定する固定具たる鋲の図解図であり、（Ａ）は鋲の斜視図解図であり、（Ｂ）は、背面斜視図解図である。
【図１３】固定具による表紙への綴じ具の取り付け方法を示す一部を断面とした図解図である。
【図１４】固定具による表紙への綴じ具の取り付け方法を示す一部を断面とした図解図である。
【図１５】固定具による表紙への綴じ具の取り付け方法を示す一部を断面とした図解図である。
【図１６】固定具による表紙への綴じ具の取り付け方法を示す一部を断面とした図解図である。
【図１７】この発明の背景となる表紙の図解図であり、（Ａ）は、平面図解図であり、（Ｂ）は、断面図解図である。
【図１８】この発明の背景となる表紙の図解図であり、（Ａ）は、平面図解図であり、（Ｂ）は、断面図解図である。
【符号の説明】
【００４２】
１０  表紙
１２  表表紙
１４  裏表紙
１６  背表紙
１８，２０  薄肉ヒンジ部
２２  内面側
２４  外面側
２６  連設部
２８  貫通孔
３０  収容部
３２  底部
３４  側面部
３６  斜面部
１１０  綴じ具
１１２  第１の綴杆
１１４  第２の綴杆
１１６  保持部材
１１８  作動部材
１２０  固定孔
１４０  開閉部材
１５０  綴杆係止部
２１０  固定具
２１２  軸部
２１４  頭部
２１６  溝
２２０  平面部
２２４  底面部
３１０  金型
３１２  上型
３１４  下型
３２０  上押圧部
３２２  凸型部
３２４  底部成形凸部
３２６  側面部成形凸部
３２８  コア部
３３０  下押圧部
３３２  凹型部
３３４  底部成形凹部
３３６  側面部成形凹部
３３８  斜面部成形凹部
３４０  貫通孔成形孔部
４００  背紙
Ｓ  被綴じ物
【図１】
2010036484.tif 000003
【図２】
2010036484.tif 000004
【図３】
2010036484.tif 000005
【図４】
2010036484.tif 000006
【図５】
2010036484.tif 000007
【図６】
2010036484.tif 000008
【図７】
2010036484.tif 000009
【図８】
2010036484.tif 000010
【図９】
2010036484.tif 000011
【図１０】
2010036484.tif 000012
【図１１】
2010036484.tif 000013
【図１２】
2010036484.tif 000014
【図１３】
2010036484.tif 000015
【図１４】
2010036484.tif 000016
【図１５】
2010036484.tif 000017
【図１６】
2010036484.tif 000018
【図１７】
2010036484.tif 000019
【図１８】
2010036484.tif 000020